(57)【要約】【課題】重量の重いサポート部材でも一人で容易に取り扱い操作できるようにしたエレベータ用つり合いおもりの支持装置を得る。【解決手段】つり合いおもり１と、つり合いおもりの下端部に設けられた引っ掛け具４と、つり合いおもりの重量を支持するつり合いおもりサポート部材５と、つり合いおもりサポート部材の下部に設けられ、ロープが巻き掛けられた巻き取り装置６と、つり合いおもりサポート部材の上部に設けられ、ロープが挿通する案内ガイド９と、ロープの先端部に設けられた引っ掛け具８と、ロープ先端の引っ掛け具を掴んでつり合いおもりの下端部の引っ掛け具に引っ掛ける伸縮式掛け具１０とを備える。【選択図】図１
2010254400.tif 000002
【特許請求の範囲】
【請求項１】
つり合いおもりと、
前記つり合いおもりの下端部に設けられた引っ掛け具と、
前記つり合いおもりの重量を支持するつり合いおもりサポート部材と、
前記つり合いおもりサポート部材の下部に設けられ、ロープが巻き掛けられた巻き取り装置と、
前記つり合いおもりサポート部材の上部に設けられ、ロープが挿通する案内ガイドと、
前記ロープの先端部に設けられた引っ掛け具と、
前記ロープ先端の引っ掛け具を掴んで前記つり合いおもりの下端部の引っ掛け具に引っ掛ける伸縮式掛け具と、
を備えたことを特徴とするエレベータ用つり合いおもりの支持装置。
【請求項２】
つり合いおもりの下端部に設けられた引っ掛け具はフック状であることを特徴とする請求項１記載のエレベータ用つり合いおもりの支持装置。
【請求項３】
巻き取り装置に巻き掛けられるロープは繊維ロープであることを特徴とする請求項１又は請求項２記載のエレベータ用つり合いおもりの支持装置。
【請求項４】
ロープの先端部に設けられた引っ掛け具は環状であることを特徴とする請求項３記載のエレベータ用つり合いおもりの支持装置。
【請求項５】
伸縮式掛け具の先端部にフック状の引っ掛け具を設けたことを特徴とする請求項２〜請求項４のいずれかに記載のエレベータ用つり合いおもりの支持装置。
【請求項６】
つり合いおもりの下端部の両側に複数個の引っ掛け具を離して設け、前記つり合いおもりの重量を分担して支持する複数個のつり合いおもりサポート部材を設けたことを特徴とする請求項１〜請求項５のいずれかに記載のエレベータ用つり合いおもりの支持装置。
【請求項７】
つり合いおもりの重量を支持するつり合いおもりサポート部材を昇降路ピットに搬入する工程と、
前記つり合いおもりを最下階の位置まで下げる工程と、
前記つり合いおもりサポート部材の案内ガイドにロープの一端を挿通させて巻き取り装置にロープを巻き掛け、ロープ先端の引っ掛け具を前記つり合いおもりサポート部材の上端部に位置させる工程と、
伸縮式掛け具により、前記ロープ先端の引っ掛け具を掴んで前記つり合いおもりの下端部の引っ掛け具に引っ掛ける工程と、
前記つり合いおもりサポート部材の下部に設けられた巻き取り装置でロープを巻き取ることにより、前記つり合いおもりサポート部材を起立させる工程と、
前記つり合いおもりサポート部材が垂直に起立した後、前記つり合いおもりをサポート部材上に当接させる工程と、
を備えたことを特徴とするエレベータ用つり合いおもりの支持方法。
【発明の詳細な説明】
【技術分野】
【０００１】
この発明は、エレベータ用つり合いおもりの支持装置及び支持方法に関するものである。
【背景技術】
【０００２】
従来、エレベータの主ロープを取り替える際は、つり合いおもりを長尺物の金属製サポート部材で支持していた。しかしながら、高速エレベータの場合では、つり合いおもりの重量が数トンにまで達するとともに、つり合いおもりを支持する金属製サポート部材は５ｍ前後の長さが必要であった。
【０００３】
また、従来技術として、互いに対向するガイドレールの継ぎ目部分に固定された一対の目板上に設けられる一対の支持台と、これら一対の支持台間に架設される吊りビームと、ガイドレールに案内されるかご及びつり合いおもりのいずれか一方と吊りビームとの間に設けられる引上治具とを備えているエレベータの引上装置が知られている（例えば、特許文献１参照）。
【先行技術文献】
【特許文献】
【０００４】
【特許文献１】特開平８−１６９６６２号公報
【発明の概要】
【発明が解決しようとする課題】
【０００５】
従来のつり合いおもりを長尺物の金属製サポート部材で支持する場合は、高速エレベータになると、つり合いおもりの重量が数トンにまで達し、つり合いおもりを支持する金属製サポート部材も５ｍ前後の長さが必要なことから、極めて重量の重い金属製サポート部材となっていた。したがって、このような重量物を昇降路ピットに居る作業者がつり合いおもりの下端部に当接させる際には、到底一人では支えきれないという問題があった。また、従来技術のエレベータの引上装置では、一対の支持台、吊りビーム、及び引上治具等を設置する必要があり、その分の手間が掛かるという問題があった。
【０００６】
この発明は、上述のような課題を解決するためになされたもので、重量の重いサポート部材でも一人で容易に取り扱い操作できるようにしたエレベータ用つり合いおもりの支持装置及び支持方法を提供するものである。
【課題を解決するための手段】
【０００７】
この発明に係るエレベータ用つり合いおもりの支持装置においては、つり合いおもりと、つり合いおもりの下端部に設けられた引っ掛け具と、つり合いおもりの重量を支持するつり合いおもりサポート部材と、つり合いおもりサポート部材の下部に設けられ、ロープが巻き掛けられた巻き取り装置と、つり合いおもりサポート部材の上部に設けられ、ロープが挿通する案内ガイドと、ロープの先端部に設けられた引っ掛け具と、ロープ先端の引っ掛け具を掴んでつり合いおもりの下端部の引っ掛け具に引っ掛ける伸縮式掛け具と、
を備えたものである。
【０００８】
また、つり合いおもりの下端部に設けられた引っ掛け具はフック状である。
【０００９】
また、巻き取り装置に巻き掛けられるロープは繊維ロープである。
【００１０】
また、ロープの先端部に設けられた引っ掛け具は環状である。
【００１１】
また、伸縮式掛け具の先端部にフック状の引っ掛け具を設けたものである。
【００１２】
また、つり合いおもりの下端部の両側に複数個の引っ掛け具を離して設け、前記つり合いおもりの重量を分担して支持する複数個のつり合いおもりサポート部材を設けたものである。
【００１３】
また、この発明に係るエレベータ用つり合いおもりの支持方法においては、つり合いおもりの重量を支持するつり合いおもりサポート部材を昇降路ピットに搬入する工程と、
つり合いおもりを最下階の位置まで下げる工程と、つり合いおもりサポート部材の案内ガイドにロープの一端を挿通させて巻き取り装置にロープを巻き掛け、ロープ先端の引っ掛け具をつり合いおもりサポート部材の上端部に位置させる工程と、伸縮式掛け具により、ロープ先端の引っ掛け具を掴んでつり合いおもりの下端部の引っ掛け具に引っ掛ける工程と、つり合いおもりサポート部材の下部に設けられた巻き取り装置でロープを巻き取ることにより、つり合いおもりサポート部材を起立させる工程と、つり合いおもりサポート部材が垂直に起立した後、つり合いおもりをサポート部材上に当接させる工程とを備えたものである。
【発明の効果】
【００１４】
この発明によれば、重量が重く、長さが長いつり合いおもりサポート部材であっても、作業者が一人で容易に支持することができ、しかもその取り扱いも容易であるという効果がある。
【図面の簡単な説明】
【００１５】
【図１】この発明の実施例１におけるエレベータ用つり合いおもりの支持装置を示す斜視図である。
【図２】この発明の実施例１におけるエレベータ用つり合いおもりの支持装置に用いられるサポート部材を示す側面図である。
【図３】この発明の実施例１におけるエレベータ用つり合いおもりの支持装置に用いられる伸縮式掛け具を示す側面図である。
【図４】この発明の実施例１におけるエレベータ用つり合いおもりの支持装置を用いた支持方法の第一段階を示す側面図である。
【図５】この発明の実施例１におけるエレベータ用つり合いおもりの支持装置を用いた支持方法の第二段階を示す側面図である。
【図６】この発明の実施例１におけるエレベータ用つり合いおもりの支持装置を用いた支持方法の第三段階を示す側面図である。
【発明を実施するための形態】
【実施例１】
【００１６】
図１〜図３において、１は高速エレベータ用のつり合いおもりであり、その重さは数トンにまで達する。２はつり合いおもり１の上部に設けられたつり合いおもり吊り車、３はつり合いおもり吊り車２に巻き掛けられた主ロープ、４はつり合いおもり１の下端部に設けられた引っ掛け用フックである。５は主ロープ３を取り替える際に、つり合いおもり１の重量を支持する金属製のつり合いおもりサポート部材である（図２参照）。６はつり合いおもりサポート部材５の下部側面に取り付けられたウインチ等からなる巻き取り装置、７は巻き取り装置６に巻き掛けられた繊維ロープ、８は繊維ロープ７の先端部に設けられた環状の引っ掛け具、９はつり合いおもりサポート部材５の上部側面に取り付けられた繊維ロープ７を挿通させる円環状の案内ガイド、１０は繊維ロープ７の先端部に設けられた環状の引っ掛け具８をつり合いおもり１の下端部に設けられた引っ掛け用フック４に導くための伸縮式掛け具である（図３参照）。１１は伸縮式掛け具１０の先端部に設けられた引っ掛け用フックで、繊維ロープ７の環状の引っ掛け具８を引っ掛けて掴むものである。１２は昇降路壁である。
【００１７】
次に、エレベータ用つり合いおもりの支持装置を用いた支持方法について、図４〜図６に基づいて説明する。
先ず、金属製のつり合いおもりサポート部材５を昇降路ピットに搬入し、つり合いおもり１を最下階の位置まで下げる。次に、昇降路ピット内で作業者１３は、つり合いおもりサポート部材５の案内ガイド９に繊維ロープ７の一端を挿通させて巻き取り装置６に巻き付け、繊維ロープ７先端の環状の引っ掛け具８をつり合いおもりサポート部材５の上端部に位置させた状態とする。そして、つり合いおもりサポート部材５を起立させ、つり合いおもりサポート部材５の頭部を昇降路壁１２に接触させながら少し斜め状態にして立てかける。この状態で作業者１３は、伸長状態に伸ばした伸縮式掛け具１０を持って、その先端部の引っ掛け用フック１１により、つり合いおもりサポート部材５の上端部に位置する繊維ロープ７先端の環状の引っ掛け具８を引っ掛けて掴む（図４参照）。そして、伸縮式掛け具１０を操作してつり合いおもり１の下端部の引っ掛け用フック４に繊維ロープ７先端の環状の引っ掛け具８を引っ掛ける。次に、作業者１３は伸縮式掛け具１０を放してから、つり合いおもりサポート部材５の巻き取り装置６を少しずつ巻き取って行くと、つり合いおもりサポート部材５の頭部が昇降路壁１２から少しずつ離れて行くことになる（図５参照）。更に、つり合いおもりサポート部材５の巻き取り装置６を巻き取って行くと、つり合いおもりサポート部材５が垂直に起立してつり合いおもり１の直下に位置することになり、つり合いおもり１をサポート部材５上に当接させてその重量を直接支持する（図６参照）。なお、取り外し時は、巻き取り装置６を少しずつ反対方向に回して緩めていけば、つり合いおもり１をサポート部材５をゆっくりと倒すことができる。
【００１８】
この発明によれば、重量が重く、長さが長いつり合いおもりサポート部材であっても、作業者が一人で容易に支持することができ、しかもその取り扱いも極めて簡単なものである。
【実施例２】
【００１９】
上記実施例１では、つり合いおもり１の下端部に引っ掛け用フック４を１個設け、１個のつり合いおもりサポート部材５でつり合いおもり１の重量を支えているが、つり合いおもり１の重量が更に大きい場合には、つり合いおもり１の下端部の両側に２個の引っ掛け用フック４を離して設け、２個のつり合いおもりサポート部材５によりつり合いおもり１の重量を支えるようにしても良い。
【符号の説明】
【００２０】
１  つり合いおもり
２  つり合いおもり吊り車
３  主ロープ
４  引っ掛け用フック
５  つり合いおもりサポート部材
６  巻き取り装置
７  繊維ロープ
８  引っ掛け具
９  案内ガイド
１０  伸縮式掛け具
１１  引っ掛け用フック
１２  昇降路壁
１３  作業者
【図１】
2010254400.tif 000003
【図２】
2010254400.tif 000004
【図３】
2010254400.tif 000005
【図４】
2010254400.tif 000006
【図５】
2010254400.tif 000007
【図６】
2010254400.tif 000008